(57)【要約】【課題】現金を支払わない代金の支払いにおいて、端末から店側にカード情報を送信する必要がない決済システムを提供すること。【解決手段】販売端末及びサーバがネットワークを介して通信可能な決済システム２００であって、サーバは、当該決済システムの会員ＩＤとＩＤ情報が予め対応づけられた会員情報データベースと、情報処理装置から会員ＩＤを受信する会員ＩＤ受信手段と、会員情報データベースでＩＤ情報に対応づけられていた会員ＩＤを特定する会員特定手段と、会員ＩＤを送信した情報処理装置に、ＩＤ情報と共に販売端末から送信された販売情報を送信する販売情報送信手段と、情報処理装置から販売情報の代金を決済するための金融機関のカード情報を受信して、金融機関にカード情報を送信することで決済要求する決済要求手段と、を有することを特徴とする。【選択図】図１
2014041467.tif 000002
【特許請求の範囲】
【請求項１】
情報処理装置、販売端末及びサーバが通信可能な決済システムであって、
前記販売端末は、前記情報処理装置のＩＣチップ又は前記情報処理装置に装着されたＩＣチップのＩＤ情報を取得するＩＤ情報取得手段と、
販売対象の商品の商品情報に基づき代金を含む販売情報を作成する販売情報作成手段と、
前記ＩＤ情報と前記販売情報を前記サーバに送信するＩＤ情報送信手段と、を有し、
前記サーバは、当該決済システムの会員の会員ＩＤと前記ＩＤ情報が予め対応づけられた会員情報データベースと、
前記情報処理装置から前記会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した前記情報処理装置に、前記販売端末から前記ＩＤ情報と共に送信された前記販売情報を送信する販売情報送信手段と、
前記情報処理装置から前記販売情報の代金を決済するための金融機関のカード情報を受信して、金融機関に前記カード情報を送信することで決済要求する決済要求手段と、を有し、
前記情報処理装置は、前記会員ＩＤを前記サーバに送信する会員ＩＤ送信手段と、
前記サーバから受信した前記販売情報を表示して、決済の許可を受け付ける決済許可受け付け手段と、
前記決済許可受け付け手段が決済の許可を受け付けた場合、予め記憶している前記カード情報を前記サーバに送信する決済情報送信手段と、を有する、ことを特徴とする決済システム。
【請求項２】
前記サーバの会員情報データベースには、さらに、前記会員ＩＤに対応づけて、前記販売端末を設置している店がネットワークを介して商品を販売するＷｅｂサイトの顧客識別情報が登録されており、
前記販売端末の前記ＩＤ情報取得手段は、前記情報処理装置から前記顧客識別情報を受信し、
前記ＩＤ情報送信手段は前記顧客識別情報と前記販売情報を前記サーバに送信し、
前記サーバの前記会員特定手段は、前記販売端末から送信された前記顧客識別情報に対応づけられていた前記会員ＩＤを前記会員情報データベースから特定し、
前記販売情報送信手段は、前記会員特定手段が特定した前記会員ＩＤを送信した前記情報処理装置に、前記販売端末から前記顧客識別情報と共に送信された前記販売情報を送信する、ことを特徴とする請求項１記載の決済システム。
【請求項３】
決済システムの会員の会員ＩＤを当該サーバに送信する会員ＩＤ送信手段と、
当該サーバから受信した販売情報を表示して、決済の許可を受け付ける決済許可受け付け手段と、
前記決済許可受け付け手段が決済の許可を受け付けた場合、予め記憶しているカード情報を当該サーバに送信する決済情報送信手段と、を有する情報処理装置、及び、
前記情報処理装置のＩＣチップ又は前記情報処理装置に装着されたＩＣチップのＩＤ情報を取得するＩＤ情報取得手段と、
販売対象の商品の商品情報に基づき代金を含む販売情報を作成する販売情報作成手段と、
前記ＩＤ情報と前記販売情報を当該サーバに送信するＩＤ情報送信手段とを有する販売端末と、ネットワークを介して通信可能なサーバであって、
前記会員ＩＤと前記ＩＤ情報が予め対応づけられた会員情報データベースと、
前記情報処理装置から会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した前記情報処理装置に、前記販売端末から前記ＩＤ情報と共に送信された前記販売情報を送信する販売情報送信手段と、
前記情報処理装置から前記販売情報の代金を決済するための金融機関の前記カード情報を受信して、金融機関に前記カード情報を送信することで決済要求する決済要求手段と、
を有することを特徴とするサーバ。
【請求項４】
当該情報処理装置のＩＣチップ又は当該情報処理装置に装着されたＩＣチップのＩＤ情報を取得するＩＤ情報取得手段と、
販売対象の商品の商品情報に基づき代金を含む販売情報を作成する販売情報作成手段と、
前記ＩＤ情報と前記販売情報をサーバに送信するＩＤ情報送信手段とを有する販売端末、と通信可能であり、さらに、
決済システムの会員の会員ＩＤと前記ＩＤ情報が予め対応づけられた会員情報データベースと、
当該情報処理装置から会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した前記情報処理装置に、前記販売端末から前記ＩＤ情報と共に送信された前記販売情報を送信する販売情報送信手段と、
当該情報処理装置から前記販売情報の代金を決済するための金融機関のカード情報を受信して、金融機関に前記カード情報を送信することで決済要求する決済要求手段と、を有するサーバと、ネットワークを介して通信可能な情報処理装置であって、
前記会員ＩＤを前記サーバに送信する会員ＩＤ送信手段と、
前記サーバから受信した前記販売情報を表示して、決済の許可を受け付ける決済許可受け付け手段と、
前記決済許可受け付け手段が決済の許可を受け付けた場合、予め記憶している前記カード情報を前記サーバに送信する決済情報送信手段と、を有することを特徴とする情報処理装置。
【請求項５】
当該情報処理装置のＩＣチップ又は当該情報処理装置に装着されたＩＣチップのＩＤ情報を取得するＩＤ情報取得手段と、
販売対象の商品の商品情報に基づき代金を含む販売情報を作成する販売情報作成手段と、
前記ＩＤ情報と前記販売情報をサーバに送信するＩＤ情報送信手段とを有する販売端末、と通信可能であり、さらに、
決済システムの会員の会員ＩＤと前記ＩＤ情報が予め対応づけられた会員情報データベースと、
当該情報処理装置から会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した当該情報処理装置に、前記販売端末から前記ＩＤ情報と共に送信された前記販売情報を送信する販売情報送信手段と、
当該情報処理装置から前記販売情報の代金を決済するための金融機関のカード情報を受信して、金融機関に前記カード情報を送信することで決済要求する決済要求手段と、を有するサーバと、ネットワークを介して通信可能な情報処理装置に、
前記会員ＩＤを前記サーバに送信する会員ＩＤ送信ステップと、
前記サーバから受信した前記販売情報を表示して、決済の許可を受け付ける決済許可受け付けステップと、
前記決済許可受け付けステップで決済の許可を受け付けた場合、予め記憶している前記カード情報を前記サーバに送信する決済情報送信ステップと、を実行させるプログラム。
【請求項６】
前記情報処理装置に、
前記カード情報を記憶装置に記憶させるステップを実行させ、
前記決済許可受け付けステップで決済の許可を受け付けた場合、前記決済情報送信ステップでは、前記記憶装置から読み出した前記カード情報を前記サーバに送信する、ことを特徴とする請求項５記載のプログラム。
【請求項７】
前記販売端末はＰＯＳレジであり、
前記ＩＤ情報取得手段は、ＲＦＩＤリーダにより当該情報処理装置のＩＣチップ又は当該情報処理装置に装着されたＩＣチップのＩＤ情報を取得する、
ことを特徴とする請求項５又は６記載のプログラム。
【請求項８】
決済システムの会員の会員ＩＤを当該サーバに送信する会員ＩＤ送信手段と、
当該サーバから受信した販売情報を表示して、決済の許可を受け付ける決済許可受け付け手段と、
前記決済許可受け付け手段が決済の許可を受け付けた場合、予め記憶しているカード情報を当該サーバに送信する決済情報送信手段と、を有する情報処理装置、及び、
前記情報処理装置のＩＣチップ又は前記情報処理装置に装着されたＩＣチップのＩＤ情報を取得するＩＤ情報取得手段と、
販売対象の商品の商品情報に基づき代金を含む販売情報を作成する販売情報作成手段と、
前記ＩＤ情報と前記販売情報を当該サーバに送信するＩＤ情報送信手段とを有する販売端末と、ネットワークを介して通信可能なコンピュータに、
前記情報処理装置から前記会員ＩＤを受信する会員ＩＤ受信ステップと、
前記会員ＩＤと前記ＩＤ情報が予め対応づけられた会員情報データベースを参照して、前記販売端末から送信された前記ＩＤ情報に対応づけられていた前記会員ＩＤを特定する会員特定ステップと、
前記会員特定ステップにて特定された前記会員ＩＤを送信した前記情報処理装置に、前記販売端末から前記ＩＤ情報と共に送信された前記販売情報を送信する販売情報送信ステップと、
前記情報処理装置から前記販売情報の代金を決済するための金融機関の前記カード情報を受信して、金融機関に前記カード情報を送信することで決済要求する決済要求ステップと、
を実行させるプログラム。
【発明の詳細な説明】
【技術分野】
【０００１】
本発明は、情報処理装置、販売端末及びサーバがネットワークを介して通信可能な決済システムに関する。
【背景技術】
【０００２】
直接的な現金の支払いなしに代金を支払う決済方法がある。例えば、クレジットカードの場合、顧客は店頭でクレジットカードを店員に手渡し、店の端末がクレジットカードのカード情報を読み取ることで支払いが完了する。
【０００３】
図１８は従来の支払い手順を模式的に示す図の一例である。
（１）顧客は、店で所望の商品やサービスを選択し（図では靴を選択した）、支払いのためにクレジットカードを店員に手渡す。店員はカード情報をＣＡＴ端末などで読み取る。
（２）店側は例えば店員がＰＯＳレジを操作して商品のバーコードを読み取り、支払いの合計金額、カード情報及び加盟店コードを、例えばＣＡＦＩＳ（Credit And Finance Information Switching system）網を利用して銀行・クレジット会社に送信する。
（３）銀行・クレジット会社はカード情報と合計金額に基づき与信照会を行い、利用上限、支払い遅延又は利用停止などの制限がなければ、CAFIS端末に決済完了通知を送信する。
【０００４】
店員は決済完了通知を確認したらクレジットカードを返却し、レシートを印刷したり商品を包装して商品を手渡す。デビッドカードの場合、暗証番号の入力を求められる以外はほぼ同様である。クレジットカードの場合は後日、デビッドカードの場合は即日、銀行口座から利用した金額が引き落とされ、支払いが完了する。
【０００５】
クレジットカードやデビッドカード以外に、顧客は電子マネーで代金を支払うことができる。電子マネーの場合、顧客が電子マネー用のカードや端末を店頭の読み取り機にかざすことで支払いが完了する。カードや端末にチャージされた金額が、後日、銀行口座から引き落とされる。
【０００６】
電子マネーでの支払いではカードや端末が顧客の手を離れることがないが、電子マネーで支払う場合、電子マネーの残高を超えない範囲でしか代金を支払えない。顧客としては、残金を念頭に必要であればチャージしなければならず使い勝手が十分でない。
【０００７】
一方、クレジットカードではそのような不都合がない反面、顧客が店頭で代金を支払う場合、クレジットカードを店員に手渡すことが必要になる。クレジットカードを顧客がＰＯＳレジに装着可能な店もあるが、少なくともクレジットカードを携帯している必要がある。そこで、クレジットカードを携帯しなくても代金を支払う仕組みが考えられる（例えば、特許文献１参照。）。
【０００８】
特許文献１には、顧客の携帯電話が近距離無線通信でＰＯＳシステムと通信し、カード情報をＰＯＳシステムに送信する店舗用精算システムが開示されている。したがって、顧客は現金もクレジットカードも有することなく携帯電話を有していれば代金を支払うことができる。
【先行技術文献】
【特許文献】
【０００９】
【特許文献１】特開２００２−９２４９７号公報
【発明の概要】
【発明が解決しようとする課題】
【００１０】
しかしながら、特許文献１に開示された支払い方法では、近距離無線通信に応答した任意の携帯電話がカード情報をＰＯＳシステムに送信してしまうため、セキュリティを確保しにくいという問題がある。すなわち、ＰＯＳシステムとの通信範囲にある携帯電話なら、カード情報を送信するおそれがある。
【００１１】
また、特許文献１に開示された支払い方法では、携帯電話からＰＯＳシステムにカード情報が送信されるという問題がある。カード情報はそれがあれば第三者でも代金の支払いが可能となる重要な情報であるため、ＰＯＳシステムに送信したり、ＰＯＳシステムに記憶させることは好ましくない。
【００１２】
このように、クレジットカードの携帯を不要にするため、クレジットカードを単に携帯電話等で置き換えるだけでは不十分であった。
【００１３】
また、同様のことが通信販売においても言える。通信販売では顧客はクレジットカードを携帯する必要がないが、Ｗｅｂサイトで代金を支払う場合、顧客はカード情報を入力し、Ｗｅｂサイト側に送信しなければならない。Ｗｅｂサイトはカード情報を保管するが、Ｗｅｂサイトに悪意がなくても漏洩する可能性は否定できず、また、顧客としては購入先のＷｅｂサイトがカード情報を保管することには抵抗がある。
【００１４】
本発明は、上記課題に鑑み、現金を支払わない代金の支払いにおいて、顧客の支配が及ばない場所にカード情報を保管する必要がない決済システムを提供することを目的とする。
【課題を解決するための手段】
【００１５】
本発明は、情報処理装置、販売端末及びサーバが通信可能な決済システムであって、前記販売端末は、前記情報処理装置のＩＣチップ又は前記情報処理装置に装着されたＩＣチップのＩＤ情報を取得するＩＤ情報取得手段（例えば、ＩＤ取得部１３１）と、販売対象の商品の商品情報に基づき代金を含む販売情報を作成する販売情報作成手段（例えば、販売情報作成部１３３）と、前記ＩＤ情報と前記販売情報を前記サーバに送信するＩＤ情報送信手段（例えば、販売情報送信部１３２）と、を有し、前記サーバは、当該決済システムの会員の会員ＩＤと前記ＩＤ情報が予め対応づけられた会員情報データベース（例えば、会員ＤＢ１２６）と、前記情報処理装置から前記会員ＩＤを受信する会員ＩＤ受信手段（例えば、会員ＩＤ受信部１２２）と、前記販売端末から送信された前記ＩＤ情報に対応づけられていた前記会員ＩＤを前記会員情報データベースから特定する会員特定手段（例えば、会員特定部１２３）と、前記会員特定手段が特定した前記会員ＩＤを送信した前記情報処理装置に、前記販売端末から前記ＩＤ情報と共に送信された前記販売情報を送信する販売情報送信手段（例えば、決済情報送信部１２２）と、前記情報処理装置から前記販売情報の代金を決済するための金融機関のカード情報を受信して、金融機関に前記カード情報を送信することで決済要求する決済要求手段（例えば、決済処理部１２５）と、を有し、前記情報処理装置は、前記会員ＩＤを前記サーバに送信する会員ＩＤ送信手段（例えば、会員ＩＤ送信部１１５）と、前記サーバから受信した前記販売情報を表示して、決済の許可を受け付ける決済許可受け付け手段（例えば、表示部１１１、操作受け付け部１１２）と、前記決済許可受け付け手段が決済の許可を受け付けた場合、予め記憶している前記カード情報を前記サーバに送信する決済情報送信手段（例えば、カード情報送信部１１４）と、を有する、ことを特徴とする。
【発明の効果】
【００１６】
現金を支払わない代金の支払いにおいて、顧客の支配の及ばない場所にカード情報を保管する必要がない決済システムを提供することができる。
【図面の簡単な説明】
【００１７】
【図１】決済システムの概略構成図の一例である。
【図２】携帯端末のハードウェア構成図の一例である。
【図３】サーバのハードウェア構成図の一例である。
【図４】携帯端末へのＩＣチップ又はクレジットカードの装着を説明する図の一例である。
【図５】会員データの登録の手順を模式的に示す図の一例である。
【図６】１段階目の会員登録の手順を模式的に示す図の一例である。
【図７】２段階目の会員登録の手順を模式的に示す図の一例である。
【図８】決済システムの機能ブロック図の一例である。
【図９】会員データ等の一例を示す図である。
【図１０】ＰＯＳサーバが有する商品ＤＢに記憶された商品データの一例である。
【図１１】商品購入時の決済システムの動作手順を示すフローチャート図の一例である。
【図１２】携帯端末の画面の遷移例の一例を示す図である。
【図１３】携帯端末の画面の遷移例の一例を示す図である。
【図１４】ＰＯＳレジの画面遷移を説明する図の一例である。
【図１５】ＰＯＳレジの画面遷移を説明する図の一例である。
【図１６】決済システムの概略的な手順を模式的に説明する図の一例である（実施例２）。
【図１７】商品購入時の決済システムの動作手順を示すフローチャート図の一例である（実施例２）。
【図１８】従来の支払い手順を模式的に示す図の一例である。
【発明を実施するための形態】
【００１８】
以下、本発明を実施するための形態について図面を参照しながら説明する。
【実施例１】
【００１９】
図１は、本実施例の決済システムの概略構成図の一例を示す。本実施例ではアプリ型の決済システムについて説明する。アプリ型とは、携帯端末にダウンロードした専用のアプリがサーバを通して決済するシステムである。
（１）まず、顧客は本実施例の決済システム２００に会員登録している。顧客には決済システム２００の会員ＩＤが割り当てられている。
【００２０】
また、サーバ１２には、後述する店頭登録方法にて、クレジットカードと関連したＩＣチップのチップＩＤと、会員ＩＤが対応づけて登録されている。顧客は携帯端末を携帯しており、携帯端末はＩＣチップとほぼ一体である。なお、サーバ１２は、本実施例の決済システム２００に加盟している店舗の加盟店情報ＤＢを有している。
（２）顧客は、店で所望の商品やサービスを選択する（図では靴を選択した）。
（３）店側は例えば店員がＰＯＳレジ１３を操作して商品のバーコードを読み取り、ＰＯＳサーバ１４の商品のデータベースから商品情報を取得する。商品情報には、商品を識別する商品コード、価格等が含まれており、価格から顧客が支払うべき合計金額が算出される。合計金額や商品情報を含む販売情報が作成される。
（４）顧客は、例えば、ＲＦＩＤでチップＩＤをＰＯＳレジ１３に入力する。
（５）ＰＯＳレジ１３は、「チップＩＤと販売情報」及び加盟店コードをサーバ１２に送信する。
（６）携帯端末１１は会員ＩＤを入力し公衆回線を介してサーバ１２に送信する。
（７）サーバ１２は、会員ＤＢにおいて、ＰＯＳレジから送信されたチップＩＤに対応づけられていた会員ＩＤを特定し、その会員ＩＤを携帯端末から受信した場合に、ＰＯＳレジ１３から送信された販売情報を携帯端末１１に送信する。
（８）顧客は、携帯端末１１で合計金額や商品名などを確認し、確認できれば、暗証番号を入力して後述する"決済するボタン"５１６を押下する。これにより、カード情報と暗証番号がサーバ１２に送信される。
（９）サーバ１２は、クレジットカードやキャッシュカードなどのカード情報、及び、加盟店コードに基づき加盟店情報ＤＢから読み取った加盟店情報を、カード会社・銀行側に送信する。これにより、決済が行われる。
（１０）サーバ１２からＰＯＳレジ１３と顧客の携帯端末１１に決済完了通知が送信される。
【００２１】
このように、本実施例の決済システム２００は、サーバ１２がチップＩＤと会員ＩＤを紐づけているので、チップＩＤと会員ＩＤを別々にサーバ１２に送信することができる。このため、携帯端末１１はＰＯＳレジ１３や店側にカード情報を送信することなく、店頭で現金を使用せず決済することができる。
【００２２】
なお、以下ではクレジットカードを例に説明するがデビッドカードの場合も同様に処理することができる。
【００２３】
〔構成例〕
図１に示した決済システムの構成について説明する。店にはＰＯＳシステムがあり、ＰＯＳシステムはＰＯＳレジ１３とＰＯＳサーバ１４を有している。ＰＯＳレジはＲＦＩＤリーダを有している。ＰＯＳレジ１３とＰＯＳサーバ１４は、専用線、社内のＬＡＮ又はＶＰＮ（Virtual Private Network）などのネットワークで接続されている。
【００２４】
また、ＰＯＳレジ１３とサーバ１２はネットワーク１６を介して通信可能に接続されている。ネットワーク１６は、例えば、ＬＡＮ、複数のＬＡＮが接続されたＷＡＮ、又は、インターネットである。一部に、無線ＬＡＮ網などの無線通信網を有していてもよく、また、この無線通信網が携帯電話網又はＷｉＭＡＸなどを用いて構築されていてもよい。
【００２５】
顧客は携帯端末１１を有している。携帯端末１１は、例えば、スマートフォン、タブレット、ストレートＰＣ、携帯電話、ＰＤＡ（Personal Digital Assistant）、ノートＰＣ等である。この他、携帯端末１１は、サーバ１２と通信可能な端末、好ましくは無線で通信可能な端末であればよい。また、必ずしも常に携帯されている必要はない。
【００２６】
携帯端末１１とサーバ１２は、ネットワーク１６を介して、通信可能に接続される。ネットワーク１６には、携帯電話網若しくはＷｉＭＡＸの基地局、又は、無線ＬＡＮのアクセスポイントが接続されている。携帯端末１１は基地局やアクセスポイントまで無線で接続し、その後はＩＰネットワーク（インターネットプロトコルを利用して通信するネットワーク）を経由してサーバ１２と通信する。
【００２７】
図２は、携帯端末１１のハードウェア構成図の一例を示す。携帯端末１１は、ＣＰＵ１０１、ＲＯＭ１０２、ＲＡＭ１０３、フラッシュＲＯＭ１０４、ＦＰＤ１０５、操作部１０６、メディアＩ／Ｆ部１０７、無線ＬＡＮ通信部１０８、キャリア通信部１０９、カメラ１１０、及び、近距離無線通信部１２０を有する。
【００２８】
ＣＰＵ１０１は、フラッシュＲＯＭ１０４に記憶されたプログラム１１４を実行して携帯端末１１の全体の動作を制御する。ＲＯＭ１０２は、ＩＰＬ（Initial Program Loader）や静的なデータを記憶している。ＲＡＭ１０３は、ＣＰＵ１０１がプログラム１１４を実行する際のワークエリアとして使用される。
【００２９】
フラッシュＲＯＭ１０４にはＣＰＵ１０１が実行するＯＳ（例えば、Ａｎｄｏｒｏｉｄ（登録商標）、ｉＯＳ（登録商標）、Ｗｉｎｄｏｗｓ（登録商標））、ミドルウェア、及び、携帯端末１１の下記の機能を提供するプログラム１１４が記憶されている。
【００３０】
ＦＰＤ１０５は、液晶や有機ＥＬ、又は、プロジェクタであり、ＵＩ（User Interface）画面を表示する。不図示のグラフィック制御部は、ＣＰＵ１０１がビデオＲＡＭに書き込んだ描画コマンドを解釈してＦＰＤ１０５にウィンドウ、メニュー、カーソル、文字又は画像などの各種情報を表示する。なお、ＦＰＤ１０５はタッチパネルを一体に有しており、操作を受け付ける各種のソフトキーを表示する。
【００３１】
操作部１０６は、ユーザの操作を受け付けるハードキー、又は、タッチパネルに表示されるソフトキーである。ハードキー、タッチパネル、及び、ソフトキーの操作内容はＣＰＵ１０１に通知される。また、不図示のマイクを装備しておき、音声を集音して電気信号に変換して、テキストデータに変換するいわゆる音声認識を行ってもよい。
【００３２】
メディアＩ／Ｆ１０７は、フラッシュメモリ等の記録メディアに対するデータの読み出し又は書き込み（記憶）を制御する。
【００３３】
プログラム１１４は、インストール可能な形式又は実行可能な形式のファイルで、例えばサーバ１２からインストール可能な形式又は実行可能な形式のファイルで携帯端末１１にダウンロードされる。また、コンピュータで読み取り可能な記録メディアに記録して配布されてもよい。
【００３４】
無線ＬＡＮ通信部１０８は、IEEE802.11b/11a/11g/11nに基づき変調方式、伝送速度、周波数等を制御し、データを送受信する。データを受信する際は、受信した電波をデジタル信号に変換し、データを送信する際は、ＣＰＵ１０１から送信要求されたデータを通信規格に従って変調等して電波として送信する。
【００３５】
キャリア通信部１０９は、携帯端末１１のユーザが契約している電気通信事業者によって様々な通信を行う。電気通信事業者は、例えば、ＣＤＭＡやＬＴＥなどの通信規格で通信する携帯電話事業者、ＷｉＭａｘ事業者、などである。キャリア通信部１０９にはＳＩＭ（Subscriber Identity Module Card）カードが装着されている。ＳＩＭカードは、電気通信事業者が契約者に発行する契約者情報が記憶されたＩＣカードであり、主にＩＭＳＩ（International Mobile Subscriber Identity）と呼ばれる固有の番号及び携帯電話番号等が記憶されている。
【００３６】
キャリア通信部１０９は、電気通信事業者が定める通信方式に従い変調等を行い、インターネットに接続されている基地局と通信する。基地局は電気通信事業者の事業者サーバと接続されており、事業者サーバは携帯端末１１に一時的なＩＰアドレスを与え、ルータを介してＩＰネットワークに接続されている。
【００３７】
カメラ１１０は、ＣＣＤやＣＭＯＳの光電変換素子を備えたカラーの撮像手段である。静止画や動画を撮影することができる。
【００３８】
近距離無線通信部１２０は、例えばＮＦＣ(Near Field Communication)に準拠した通信装置である。近距離無線通信部１２０は双方向通信が可能であるが、本実施例では主にＩＣチップのチップＩＤをＰＯＳレジ側に送信する。近距離無線通信部１２０は、ＰＯＳレジから電波を受信することで、内部のアンテナが電波と共振して起電力が発生させる。この電波にはＩＣチップを制御する制御信号（コマンド）が含まれる。ＩＣチップは、発生した電力により（バッテリがあればそれも利用することができる）回路を起動し、制御信号に応じた処理（チップＩＤを読み出し送信する処理）を行う。近距離無線通信部１２０は、所定の周波数の搬送波をチップＩＤで変調して電波として送信する。なお、近距離無線通信部１２０は、さらに、Bluetooth（登録商標）、ＵＷＢ（Ultra Wide Band）などを有していてもよい。
【００３９】
図３は、サーバ１２のハードウェア構成図の一例を示す。サーバ１２は、一般的な情報処理装置の構成を有していればよい。
【００４０】
サーバ１２は、ＣＰＵ３０１、ＲＯＭ３０２、ＲＡＭ３０３、ＨＤＤ３０４、ディスプレイ３２０と接続されたグラフィックボード３０５、キーボード・マウス３０６、メディアドライブ３０７、及び、通信装置３０８を有する。ＣＰＵ３０１は、ＲＡＭ３０３を作業メモリにしてＨＤＤ３０４に記憶されたプログラム３１０を実行し、サーバ１２の全体を制御する。キーボード・マウス３０６はシステム管理者の操作を受け付ける入力装置である。メディアドライブはＣＤ、ＤＶＤ及びブルーレイディスクなどの光学メディアにデータを読み書きする。通信装置３０８は、例えばネットワークに接続するためのイーサネット（登録商標）カードである。
【００４１】
ＨＤＤには、ＯＳ（Ｗｉｎｄｏｗｓ  Ｌｉｎｕｘ（登録商標）等）、ミドルウェア、及び、後述するサーバ１２の機能を提供するプログラム３１０が記憶されている。プログラム３１０は、インストール可能な形式又は実行可能な形式のファイルで、コンピュータで読み取り可能な記録メディアに記録して配布される。また、プログラム３１０は、不図示のサーバからインストール可能な形式又は実行可能な形式のファイルで配布される。
【００４２】
ＰＯＳサーバ１４のハードウェア構成は情報処理が可能であればよく、サーバ１２と同様である。
【００４３】
〔会員の店頭登録について〕
顧客が本実施例の決済システム２００を利用するためには、予め、顧客が決済システム２００に会員登録する必要がある。なお、ＰＯＳレジ１３が配置されている店側はすでに決済システム２００の会員であり、加盟店情報ＤＢに加盟店コード、店名などが登録されている。顧客が会員登録することにより、会員データがサーバ１２に登録される。本実施例では会員データの登録にＩＣチップを利用する。
【００４４】
ところで、携帯端末１１にはＩＣチップが一体に搭載されている場合と搭載されていない場合がある。携帯端末１１にＩＣチップが搭載されていない場合、そのままでは会員登録ができない。このため、携帯端末１１に簡易的にＩＣチップを装着することが好ましい。こうすることで、顧客が任意のクレジットカードを使って携帯端末１１を使用して決済することを可能にする。なお、携帯端末にＩＣチップが搭載されている場合でも、ＩＣチップがクレジットカードの代わりをそのまま果たすことはできず、ＩＣチップと会員ＩＤを紐付け後、顧客は任意のクレジットカードで決済する。
【００４５】
図４は携帯端末１１へのＩＣチップ１７の装着を説明する図の一例である。図４（ａ）では、ＩＣチップ１７を覆うように携帯端末本体と携帯端末１１の背面の保護フィルムの間にＩＣチップ１７が装着されている。ＩＣチップ１７はアンテナ部分を含めてもほぼ平面状に形成されることが可能なので、ＩＣチップ１７が携帯端末１１に装着されても、顧客はほとんど違和感がない。
【００４６】
また、保護フィルムで覆うのでなく、シールなど粘着性のある物で携帯端末１１に固定することができる。また、携帯端末１１の筐体を開け、内側にＩＣチップ１７を配置してもよい。
【００４７】
図４（ｂ）では、携帯端末１１のケースのポケットにＩＣカードが収納されている。ケースは画面を保護するように２つ折りすることができる。ＩＣカードはＩＣチップ１７を内蔵している。このようにＩＣカードそのものをＩＣチップ１７とすることで、顧客は例えばFelica（登録商標）カードのような任意のＩＣカード（ＩＣチップが入っているカードなら何でもよい）をそのまま決済システム２００に登録することができる。なお、ＩＣカードはクレジットカードでもよい。
【００４８】
図４（ａ）の場合、単体のＩＣチップ１７と会員ＩＤが紐づけられる。図４（ｂ）の場合、ＩＣカードのＩＣチップ１７が会員ＩＤと紐づけられる（ＩＣカードをクレジットカードにした場合、顧客はケース内のクレジットカードを決済に使用しなくてもよく、決済にどのクレジットカードを使用するかはユーザの任意である。）。携帯端末１１がＩＣチップを内蔵する場合は、端末内のＩＣチップ１７と会員ＩＤが紐づけられる。
【００４９】
図５は、会員データの登録の手順を模式的に示す図の一例である。本実施例では２段階で会員データを登録する。
【００５０】
・１段階目（図５（ａ））
顧客は携帯端末１１をサーバ１２に接続して、画面上から必要事項を入力しサーバ１２に登録する。サーバ１２に接続するには、ＲＡＰＩＮＡＶＩ（登録商標）を利用できる。ＲＡＰＩＮＡＶＩ（登録商標）はＰＯＳレジ１３に接続されており、ＩＣチップ１７を内蔵した携帯端末１１に情報を送信するサービスである。つまり、この情報により目的のサーバ１２に携帯端末１１を誘導したり携帯端末１１がサーバ１２にメールを送信することを可能とする。ＩＣチップを内蔵していない携帯端末を含め、このサービスを使用しなくても、顧客はサーバ１２のＵＲＬを検索サイトなどから検索可能である。
【００５１】
必要事項は、例えば、住所、氏名、生年月日、ニックネーム、パスワード、電話番号、メールアドレスなどの個人情報であり、これが会員データとなる。会員データは後述する図９（ａ）に示した。また、任意であるが会員データの一部として顔写真を登録することもできる。
【００５２】
サーバ１２は、一意の会員ＩＤを生成し、会員ＩＤと会員データを対応づけて記憶する。サーバ１２は携帯端末１１に会員ＩＤを送信するので、携帯端末１１は会員ＩＤを記憶すると共に、表示することができる。また、会員登録後であれば、サーバ１２にアクセスしてマイページを表示することで、携帯端末１１が会員ＩＤを表示できる。
【００５３】
・２段階目（図５（ｂ））
次に、顧客はＩＣチップ１７のチップＩＤをサーバ１２に登録する。まず、会員ＩＤが以下のような方法でＰＯＳレジ１３に入力され、サーバ１２に送信される。
(i)  携帯端末１１がバーコードとして表示した会員ＩＤを、ＰＯＳレジ１３にスキャンさせる
(ii)  店員がＰＯＳレジ１３を操作して会員ＩＤを入力する。
【００５４】
ＰＯＳレジ１３とサーバ１２は接続されているので、サーバ１２は会員ＩＤに紐づけられた会員データをＰＯＳレジ１３に送信する。この時、店員は会員データ（生年月日、顔写真等）を顧客に確認するので、会員以外の顧客を登録することを防止できる。
【００５５】
確認後、顧客が携帯端末１１をかざすことでＰＯＳレジ１３のＲＦＩＤリーダはＩＣチップ１７のチップＩＤを読み出す。そして、会員ＩＤとチップＩＤをサーバ１２に送信する。これにより、サーバ１２は会員ＩＤとチップＩＤを関係づけて登録することができる。
【００５６】
このようにして任意のＩＣチップと会員ＩＤを対応づけることができ、商品の購入時は、顧客は携帯端末（具体的にはＩＣチップ）をＰＯＳレジ１３のＲＦＩＤリーダにかざすことで、ＰＯＳレジ１３側の入力を完了できる。
【００５７】
図６は、１段階目の会員登録の手順を模式的に示す図の一例である。
S1：顧客は携帯端末１１を操作してアプリを起動する。このアプリはサーバ１２からダウンロードするなどして携帯端末１１にインストールされている。会員登録が済むまで、アプリを用いても商品の購入などはできない。
S2：携帯端末１１がアプリを起動させる。
S3：携帯端末１１はサーバ１２と通信を開始する。携帯端末１１のＩＰアドレスは、通信事業者が一時的に付与するローカルＩＰアドレスであるが、固定的なグローバルＩＰアドレスであってもよい。サーバ１２のＩＰアドレス又はＵＲＬはアプリに登録されている。
S4：サーバ１２は携帯端末１１と通信すると応答を返す。これにより、アプリは会員登録が可能な状態であることを検出する。アプリは、顧客が会員データを入力するための画面を表示する。
S5：顧客は画面を見て、会員データを入力する。
S6：携帯端末１１は受け付けた会員データを引数にして登録要求をサーバ１２に送信する。
S7：サーバ１２は、重複しない会員ＩＤを作成し、会員ＩＤに対応づけてカード情報を会員ＤＢに登録する。
S8：サーバ１２は会員ＩＤと、OK（登録成功）又はNG（登録失敗）を引数にして登録結果を携帯端末１１に送信する。
S9：携帯端末１１は結果をＦＰＤ１０５に表示する。これにより、顧客は会員登録できたことを確認できる。また、携帯端末１１のアプリは会員ＩＤを記憶して、ユーザ操作により表示することが出来る。
S10：この後、顧客はカード情報を入力する。カード情報は複数入力でき、決済時に選択することができる。カード情報は、会員登録の直後に入力する必要はなく、決済までに入力しておけばよい。カード情報はアプリが携帯端末内に保持している。
【００５８】
なお、図６はアプリを使用して会員登録を行ったが、顧客がブラウザを立ち上げてサーバ１２の会員登録ページにアクセスしても、同様に会員登録することができる。
【００５９】
図７は、２段階目の会員登録の手順を模式的に示す図の一例である。この２段階目の会員登録を行うタイミングは、例えば、店頭で商品を購入する時でよいが、会員登録のためだけにＰＯＳレジ１３に立ち寄ることもできる。
S1：顧客は携帯端末１１を操作してアプリを起動する。必ずアプリを立ち上げなければならないわけではなく、ＰＯＳレジ１３に会員ＩＤを入力できればよい。
S2：携帯端末１１がアプリを起動させる。
S3：携帯端末１１はアプリを起動することで、自動的又は操作を受け付けて会員ＩＤを表示する。
S4：上記(i)又は(ii)の方法でＰＯＳレジ１３に会員ＩＤが入力される。
S5：ＰＯＳレジ１３は会員ＩＤをサーバ１２に送信する。
S6：サーバ１２は会員ＩＤをキーに会員データを読み出し、ＰＯＳレジ１３に送信する。
S7：顧客はＰＯＳレジ１３を介して本人確認を行う。この時、顧客しか回答を知らない問題（例えば、生年月日）を入力させ、サーバ側で正解か否を判定することで本人確認することも有効である。
S8：本人確認が完了すると、ＰＯＳレジ１３のＲＦＩＤリーダが携帯端末１１のチップＩＤを読み出す。
S9：ＰＯＳレジ１３は会員ＩＤとチップＩＤをサーバ１２に送信する。
S10：サーバ１２はチップＩＤと会員ＩＤを対応づけて登録する。
S11：サーバ１２は登録が完了したことをＰＯＳレジ１３に通知する。
S12：携帯端末１１で動作するアプリは予め登録されているサーバ１２のＩＰアドレスに接続して会員ＩＤをサーバ１２に送信する。会員ＩＤによりサーバ１２は携帯端末１１を特定して、登録が完了したことを携帯端末１１に送信する。
【００６０】
〔購入時について〕
アプリ型の決済システム２００において、携帯端末１１がアプリを実行して行う決済について説明する。
【００６１】
図８は、本実施例の決済システム２００の機能ブロック図の一例を示す。まず、各装置が有するデータについて説明する。
【００６２】
＜サーバ＞
図９（ａ）は会員ＤＢに登録されている会員データの一例を示す図である。会員データには決済システム２００の会員の個人情報が登録されている。１つのレコードに「会員ＩＤ」「パスワード」「氏名」「生年月日」「ニックネーム」「住所」「電話番号」「メールアドレス」が登録されている。
【００６３】
会員ＩＤは、決済システム２００の会員を一意に識別するための数字、アルファベット若しくは記号、又はこれらの組み合わせである。パスワードは、サーバ１２が会員を認証するための数字、アルファベット若しくは記号、又はこれらの組み合わせである。氏名、生年月日、ニックネーム、住所、電話番号、メールアドレスは決済システム２００が会員と連絡を取ったり、会員を特定するための情報である。
【００６４】
図９（ｂ）は会員ＤＢに登録されているチップＩＤテーブルの一例を示す。チップＩＤテーブルには「会員ＩＤ」と「チップＩＤ」が登録されている。
【００６５】
＜携帯端末＞
携帯端末１１は、１つ以上のカード情報を記憶している。カード情報はクレジットカードとキャッシュカードで異なっており、図９（ｃ）はクレジットカードのカード情報を、図９（ｄ）はキャッシュカードのカード情報をそれぞれ示す。
【００６６】
クレジットカードのカード情報には「会員ＩＤ」「カード名」「カード番号」「有効期限」「氏名」「セキュリティコード」が登録されており、キャッシュカードのカード情報には「会員ＩＤ」「銀行名」「金融機関コード」「店番号」「口座番号」「口座識別番号」「氏名」が登録されている。なお、金融機関コードは金融機関を一意に識別するためのコードで、口座種別番号は普通、当座、などの口座種別を示す番号である。なお、これらカード情報は暗号化されており、アプリが必要に応じて復号する。
【００６７】
＜ＰＯＳシステム＞
図１０はＰＯＳサーバ１４が有する商品ＤＢ１４１に記憶された商品データの一例を示す。商品データには、例えばＪＡＮコードに対応づけて「商品コード」「商品名」「価格」「メーカ」「分類コード」「内容量」「サイズ」などが登録されている。ＪＡＮコードは、１３又は８桁の共通商品コードであり、商品に添付されたタグにバーコードで印刷されている。商品を識別できればＪＡＮコードでなくてもよい。
【００６８】
ＪＡＮコードにより商品を一意に特定できるが、ＪＡＮコードによりどのような情報を管理するかは、ＰＯＳシステムの運営者が任意に設定でき、図１０は一例である。
【００６９】
ＰＯＳサーバは、ＰＯＳレジ１３から受信したＪＡＮコードに対応づけられた商品データを商品ＤＢ１４１から読み出してＰＯＳレジ１３に送信する。これにより、ＰＯＳレジ１３は商品の価格を取得し、合計金額を算出したり、レシートを印刷したりできる。
【００７０】
図８に戻り、携帯端末１１は、表示部１１１、操作受け付け部１１２、カード情報送信部１１４、会員ＩＤ送信部１１５、決済情報受信部１１６、及び、ＩＤ送信部１１７を有している。ＩＤ送信部１１７は、近距離無線通信部１２０を制御してＮＦＣなどの通信規格でチップＩＤをＰＯＳレジ１３に送信する。表示部１１１は各種の画面を表示する。操作受け付け部１１２は、顧客による各種の操作を受け付ける。カード情報送信部１１４は予め記憶しているカード情報と暗証番号をサーバ１２に送信する。会員ＩＤ送信部１１５は会員ＩＤをサーバに送信する。決済情報受信部１１６は販売情報をサーバから受信する。なお、カード情報を携帯端末１１内に記憶するのでなく、携帯端末１１がネットワークにアクセスして読み出せる場所に記憶しておいてもよい。
【００７１】
ＰＯＳレジ１３は、ＩＤ取得部１３１、販売情報送信部１３２、販売情報作成部１３３、商品情報取得部１３４及びバーコード読み取り部１３５を有している。ＩＤ取得部１３１は、チップＩＤを携帯端末１１から取得する、例えばＲＦＩＤリーダである。バーコード読み取り部１３５は商品のタグのバーコードを光学的に読み取りＪＡＮコードに変換する。この時、販売日時、購入店名などが付加される。商品情報取得部１３４は、ＪＡＮコードをキーにしてＰＯＳサーバ１４から商品情報を取得する。販売情報作成部１３３は、商品情報の価格を合計して合計金額を算出し、販売日時、購入店名、商品情報などから販売情報を作成する。
販売情報：全ての商品名・価格、購入日時、購入店、合計金額
販売情報送信部１３２はこの販売情報、チップＩＤ及び加盟店コードをサーバ１２に送信する。
【００７２】
サーバ１２は、会員ＩＤ受信部１２１、決済情報送信部１２２、会員特定部１２３、
販売情報受信部１２４、決済処理部１２５、会員ＤＢ１２６、加盟店情報ＤＢ１２７、及び、ＰＯＳサーバ１４を有している。会員ＩＤ受信部１２１は会員ＩＤを受信する。販売情報受信部１２４は販売情報等をＰＯＳレジから受信する。会員特定部１２３は、ＰＯＳレジから受信したチップＩＤに基づき会員ＤＢ１２６を参照し会員ＩＤを特定する。決済情報送信部１２２は、会員特定部１２３が特定した会員ＩＤに基づき、会員ＩＤを送信した携帯端末１１とＰＯＳレジから受信した販売情報を紐付けし、携帯端末１１に送信する。
【００７３】
決済処理部１２５は、携帯端末１１からカード情報と暗証番号を受信して、銀行・クレジット会社に送信する。この後は、従来と同様に決済処理される。決済処理部１２５は、決済完了通知を携帯端末１１とＰＯＳレジ１３に送信する。ＰＯＳサーバ１４は商品ＤＢ１４１を有しており、ＰＯＳレジ１３に商品情報提供するが、サーバ１２以外でもＰＯＳレジ１３がアクセス可能な場所にあればよい。
【００７４】
〔決済システムの動作手順〕
図１１は、商品購入時の決済システム２００の動作手順を示すフローチャート図の一例である。適宜、図１２〜１５の画面例を参照する。
【００７５】
顧客は所望の商品をＰＯＳレジ１３に運び店員に手渡す。店員は商品に添付されたバーコードをバーコード読み取り部１３５で読み取る（Ｓ１０）。
【００７６】
商品情報取得部１３４は、バーコード読み取り部１３５が読み取ったＪＡＮコードをＰＯＳサーバに送信し、ＰＯＳサーバから商品データを取得する。販売情報作成部１３３は各商品の価格の合計を算出する（図１４（a）（ｂ）参照）。
【００７７】
顧客が携帯端末１１をＰＯＳレジ１３のＲＦＩＤリーダに近づけると、ＩＤ送信部１１７がチップＩＤをＰＯＳレジ１３に送信する（Ｓ２０）。
【００７８】
ＰＯＳレジ１３のＩＤ取得部１３１はチップＩＤを取得する（Ｓ３０。図１４（ｃ）（ｄ）図１５（ａ）参照）。
【００７９】
ＰＯＳレジ１３の販売情報送信部１３２はチップＩＤ、販売情報及び加盟店コードをサーバ１２に送信する（Ｓ４０）。
【００８０】
サーバ１２の販売情報受信部１２４はチップＩＤ、販売情報及び加盟店コードを受信する（Ｓ５０）。
【００８１】
顧客は、商品をＰＯＳレジ１３に運んだ後、又は、それ以前にアプリを起動する（Ｓ６０。図１２（ａ）参照）。アプリを起動することで、携帯端末１１は記憶している会員ＩＤを表示したり、又は、顧客が入力することが可能となる（図１２（ｂ）参照）。
【００８２】
携帯端末１１の操作受け付け部１１２が顧客の操作を受け付けると、会員ＩＤ送信部１１５が会員ＩＤをサーバ１２に送信する（Ｓ７０）。
【００８３】
サーバ１２の会員ＩＤ受信部１２１は会員ＩＤを受信する（Ｓ８０）。
【００８４】
サーバ１２の会員特定部１２３は、チップＩＤが対応づけられた会員ＩＤを会員ＤＢ１２６にて特定する（Ｓ９０）。この後、サーバ１２は会員データを携帯端末１１に送信することができる（図１２（ｃ）参照。）。
【００８５】
顧客が決済操作を進めると（図１２（ｃ）で顧客が"スマートフォンで決済する"ボタン５０５を選択すると）、サーバ１２の決済情報送信部１２２は、特定した会員ＩＤを送信した携帯端末１１に販売情報を送信する（Ｓ１００）。
【００８６】
携帯端末１１の決済情報受信部１１６は販売情報を受信する（Ｓ１１０）。
【００８７】
携帯端末１１の表示部１１１は販売情報を受信することで決済用の販売情報画面を表示する（Ｓ１２０）。これにより、携帯端末１１は顧客から"はい"ボタン５０９を受け付けることが可能になる（図１２（ｄ）参照）。
【００８８】
操作受け付け部１１２はカードの選択と暗証番号の入力を受け付ける（Ｓ１３０。図１２（e）（ｆ）参照）。暗証番号が入力された場合、携帯端末１１は暗証番号を一時的に記憶する。
【００８９】
そして、"決済する"ボタン５１６の押下を受け付けると（図１３（ａ）（ｂ）参照）。カード情報送信部１１４はカード情報と暗証番号をサーバ１２に送信する（Ｓ１４０）。サーバの決済処理部１２５はカード情報と暗証番号を受信する（Ｓ１５０）。
【００９０】
以降は、従来の与信照会の手順が実行される。すなわち、サーバ１２の決済処理部１２５はカード情報、暗証番号、加盟店コードにより特定した加盟店情報及び合計金額を銀行・クレジット会社に送信する（Ｓ１６０）。
【００９１】
銀行・クレジットカード会社はカード情報、暗証番号、合計金額、加盟店情報を受信する（Ｓ１７０）。
【００９２】
銀行・クレジットカード会社は与信照会後、結果をサーバ１２に送信する（Ｓ１８０）。
【００９３】
サーバ１２は、与信照会結果を受信し、決済完了通知を送信する（Ｓ１９０）。
【００９４】
ＰＯＳレジ１３は決済完了通知を受信する（Ｓ２００。図１５（ｂ）参照）。携帯端末１１は決済完了通知を受信する（Ｓ２１０。図１３（ｃ）参照）。
【００９５】
以上説明したように、本実施例の決済システム２００は、会員登録を含め一度もカード情報をＰＯＳレジや店側に渡すことなく、クレジットカード又はキャッシュカードで決済することができる。また、顧客がクレジットカード又はキャッシュカードを携帯する必要もない。
【００９６】
また、アプリ型の場合、カード情報を携帯端末が記憶するので、顧客がカード情報を管理できる。顧客の支配が及ばない場所にカード情報が記憶されることに抵抗がある顧客でも安心して利用できる。
【００９７】
〔画面の遷移例〕
図１２、１３は、携帯端末１１の画面の遷移例の一例を示す図である。
図１２（ａ）は携帯端末１１の待ち受け画面の一例を示す。待ち受け画面には決済システム２００に対応したアプリのアイコン５０１が表示されている。顧客は決済の際アイコン５０１をタップする。
【００９８】
図１２（ｂ）はアプリが起動したことで表示されるＩＤ入力画面の一例である。ＩＤ入力画面には「会員ＩＤを入力してください」と表示されており、顧客はソフトキー５０２を使用してＩＤ入力欄５０３に会員ＩＤを入力する。会員ＩＤを携帯端末１１が記憶しておいてもよい。
【００９９】
顧客が"送信"ボタン５０４を押下すると、携帯端末１１は会員ＩＤをサーバ１２に送信する。
【０１００】
この後、携帯端末１１は待機中の画面になり、サーバ１２は会員ＩＤにより顧客を特定して、ニックネーム、氏名などを携帯端末１１に送信する。携帯端末１１はサーバ１２と通信することで次の画面を表示する。
【０１０１】
図１２（ｃ）はサーバ１２との通信後に携帯端末１１が表示する処理選択画面の一例である。ここでは"スマートフォンで決済する"ボタン５０５と"今までの利用明細を見る"ボタン５０６が表示されている。決済するため顧客は"スマートフォンで決済する"ボタン５０５を押下し、次の画面に遷移する。"スマートフォンで決済する"ボタン５０５の押下により（又はそれ以前でもよい）、携帯端末１１は販売情報を受信する。
【０１０２】
図１２（ｄ）は販売情報画面の一例を示す図である。販売情報画面には、購入明細５０７、決済金額５０８、"はい"ボタン５０９、及び、"いいえ"ボタン５１０が表示されている。顧客は、店頭で購入しＰＯＳレジ１３に表示されているお買い上げ合計と決済金額５０８を比較して、"はい"ボタン５０９又は"いいえ"ボタン５１０を押下する。アプリは、"はい"ボタン５０９の押下により顧客の決済操作を受け付ける。
【０１０３】
図１２(ｅ)はカード選択画面の一例を示す図である。カード選択画面には、顧客がアプリを操作して携帯端末１１に記憶しているカード情報が表示される。顧客はトグルボタン５１１〜５１３により決済に使用するカードを選択し、"決定"ボタン５１４を押下する。
【０１０４】
図１２（ｆ）は暗証番号入力画面の一例を示す図である。顧客は選択したカードの記憶している暗証番号をソフトキー５１５を操作して入力する。ソフトキー５１５の決定キーを押下すると最終決済画面が表示される。
【０１０５】
図１３（ａ）は最終決済画面の一例を示す図である。最終決済画面には"決済する"ボタン５１６と"戻る"ボタン５１７が表示されている。"決済する"ボタン５１６は最後の決済の意志を受け付けるボタンであり、意志に変わりがなければ顧客は"決済する"ボタン５１６を押下する。"決済する"ボタン５１６が押下された場合、携帯端末１１はカード情報と暗証番号をサーバ１２に送信する。サーバ１２は銀行・クレジット会社にカード情報を送信する。この間、携帯端末１１は待機中の画面になる。
【０１０６】
図１３（ｂ）は待機中の画面の一例を示す図である。銀行・クレジット会社はカード情報に基づき顧客の与信照会を行い、決済完了通知をサーバ１２に送信する処理を行っている。サーバ１２は決済完了通知を受信するとＰＯＳレジ１３と携帯端末１１に決済完了通知を送信する。携帯端末１１は決済完了通知を受信すると、決済完了画面を表示する。
【０１０７】
図１３（ｃ）は決済完了画面の一例を示す図である。決済完了画面には、決済完了のメッセージ５１７、購入明細５１８、及び、お支払い方法５１９が表示される。
【０１０８】
図１４、１５はＰＯＳレジ１３の画面遷移を説明する図の一例である。
図１４（ａ）はＰＯＳレジ１３の初期画面の一例である。いくつかあるソフトキーに、ＰＯＳレジ１３がチップＩＤの入力を受け付けるチップＩＤ読み取りボタン６０１がある。
【０１０９】
図１４（ｂ）は商品情報画面の一例を示す図である。店員は顧客が購入する商品のタグのバーコードをスキャナで読み取る。これにより、商品ＤＢ１４１でＪＡＮコードに紐づけられている、商品コード、商品名、色、サイズ、単価等を表示することが出来る。複数の商品を購入した場合は、合計金額が算出される。全ての商品のタグの読み取りが完了すると、店員は小計ボタン６０２を押下する。
【０１１０】
図１４（ｃ）は決済方法選択画面の一例を示す図である。店員は、現金、カード、携帯/スマフォ、商品券、デビッド、等の中から、顧客の要望を確認して携帯/スマフォボタン６０３を押下する。また、店員がチップＩＤ読み取りボタン６０１を押下することでＰＯＳレジ１３はチップＩＤの読み取りが可能になる。
【０１１１】
図１４（ｄ）はチップＩＤの読み取り結果表示画面の一例を示す図である。顧客が携帯端末１１をＰＯＳレジ１３のＲＦＩＤリーダにかざすと、ＰＯＳレジ１３は携帯端末１１のＩＣチップのチップＩＤを読み取り、チップＩＤ欄６０４に表示する。なお、セキュリティを考慮して"＊"で置き換えて表示したり、一部の桁だけ表示することもできる。店員はチップＩＤが表示されると"決定"ボタン６０５を押下する。
【０１１２】
図１５（ａ）は決済方法確認画面の一例を示す図である。図１４（ｃ）で店員が選択した決済方法６０６が表示されるので、店員がそれを確認し"決定"ボタン６０７を押下する。これにより、ＰＯＳレジ１３は、チップＩＤ、販売情報、及び、加盟店コードをサーバ１２に送信する。この後、ＰＯＳレジはサーバ１２を介してカード会社・銀行から決済完了通知を受信する。
【０１１３】
図１５（ｂ）は決済完了画面の一例を示す図である。決済完了画面では、携帯／スマフォ欄６０８に決済金額が、預り金合計欄６０９に合計金額が、それぞれ表示される。これにより、店員は携帯／スマフォで代金が支払われたことを確認する。店員は預／合計ボタン６１０を押下すると決済が完了する。なお、画面例は一例であり、適宜、設計できる。
【実施例２】
【０１１４】
実施例１では顧客が店頭で決済する決済システム２００を説明したが、本実施例では決済場所を選ばないネットショップで商品等を購入することが可能な決済システム２００について説明する。
【０１１５】
図１６は、本実施例の決済システム２００の概略的な手順を模式的に説明する図の一例である。システム構成は実施例１のＰＯＳレジ１３がＥＣ（E-Commerce）サイト１８に置き換わった形態になる。
（１）予め、顧客は、サーバ１２に会員登録しておき、ＥＣサイトのＩＤ（以下、ＥＣサイトＩＤという）と会員ＩＤを紐づけてサーバ１２に登録している。会員ＩＤは実施例１にて登録されたものを利用できる。
【０１１６】
ＥＣサイトＩＤとは、ＥＣサイトにおいてＥＣサイトの会員を特定するための識別情報である。例えば、ＥＣサイトにログインするためのログインＩＤが相当し、ＹａｈｏｏＩＤなどが挙げられる。ＥＣサイトＩＤはＥＣサイト毎に異なるので、１つの会員ＩＤに複数のＥＣサイトＩＤが紐づけられる場合がある。すなわち、本実施例では店頭販売ではチップＩＤで会員を特定し、ネットショッピングではＥＣサイトＩＤで会員ＩＤを特定する。
【０１１７】
ＥＣサイトＩＤの登録には、例えばアプリやブラウザを利用すればよく、携帯端末１１はサーバ１２にアクセスして、会員ＩＤを特定した状態でＥＣサイトＩＤをサーバ１２に送信する。
（２）顧客はサーバ１２にＥＣサイトＩＤを登録してあるＥＣサイト１８にアクセスして商品を選択する。
（３）商品選択により、商品情報及び合計金額が算出され、合計金額や商品情報を含む販売情報が作成される。
（４）そして、本実施例では、携帯端末１１はＥＣサイト１８にログインすることでＥＣサイトＩＤをＥＣサイト１８に送信する。ＥＣサイトＩＤの送信は商品の選択前でもよい。
（５）ＥＣサイト１８はＥＣサイトＩＤ、販売情報、及び、加盟店コードをサーバ１２に送信する。以降は、実施例１と同様になる。
【０１１８】
商品の購入は携帯端末１１で動作するブラウザで行ってもよいし、汎用的なＰＣ(Personal  Computer)にてブラウザを動作させてＥＣサイト１８にアクセスし商品を購入してもよい。
【０１１９】
図１７は、商品購入時の決済システム２００の動作手順を示すフローチャート図の一例である。顧客は携帯端末１１や任意のＰＣを操作してＥＣサイト１８にアクセスし、所望の商品を選択する（Ｓ１２）。ＥＣサイト１８は商品の選択を受け付ける（Ｓ１４）。携帯端末１１やＰＣで動作するソフトウェアは任意のブラウザでよく、顧客がログインする際に携帯端末１１やＰＣからＥＣサイトにＥＣサイトＩＤが送信されている（Ｓ２２）。
【０１２０】
ＥＣサイトはＥＣサイトＩＤを受信し、商品と対応づけて保持しておく（Ｓ３２）。顧客は決済方法としてスマフォ決済を選択するので、ＥＣサイトはそのための処理を開始する。すなわち、ＥＣサイトは販売情報、ＥＣサイトＩＤ、及び、加盟店コードをサーバ１２に送信する（Ｓ４０）。
【０１２１】
顧客は、決済のため、商品を選択した後、又は、それ以前に、アプリを起動する（Ｓ６０）。そして、顧客は携帯端末１１を操作して会員ＩＤをＥＣサイト１８に送信する（Ｓ７０）。ＥＣサイト１８は会員ＩＤを取得する（Ｓ８０）。アプリがブラウザの機能を有していてもよく、この場合、顧客はアプリを操作してＥＣサイト１８にアクセスし、ログインすることでＥＣサイトにＥＣサイトＩＤを送信する。また、アプリで商品を選択して、そのまま（動作するソフトウェアを切り替えることなく）会員ＩＤを送信できる。
【０１２２】
以降の手順はチップＩＤがＥＣサイトＩＤに変わる以外は実施例１と同様になる。店頭と違い、顧客はすぐに決済処理を完了させる必要がないが、サーバ１２が所定時間内（例えば、ＥＣサイト１８から販売情報とチップＩＤを受信してから数時間時間など）に会員ＩＤを受信できない場合、ＥＣサイト１８に決済が出来ないことを通知するなどして、商品の選択をキャンセルする。
【０１２３】
本実施例においても、顧客は、カード情報をＥＣサイト１８には一切送信せずに携帯端末１１で決済することができる。
【０１２４】
また、同じ顧客が店頭でもＥＣサイトでも商品を購入する場合を考えると以下のような利点がある。店がＥＣサイトも運営したり、ＥＣサイトと提携することがよく行われている。従来では、店舗とＥＣサイトで同じ顧客が買い物していたとしても、店舗では店舗の会員ＩＤが使用され、ＥＣサイトではネットショッピング用の会員ＩＤが使用されていた。このため、実際は一人の同じ顧客だが、同一の顧客として認識できなかった。
【０１２５】
本実施形態の決済システムでは、店舗での会員ＩＤと、ＥＣサイトの会員ＩＤが共通なため、販売経路を問わず、買い物情報を一元化できる。したがって、顧客から見ると、ポイント等が店舗とネットで一つにまとめられるという利点がある。
【符号の説明】
【０１２６】
１１  携帯端末  １２  サーバ  １３  ＰＯＳレジ  １５  銀行・クレジット会社  １６  ネットワーク  １７  ＩＣチップ  ２００  決済システム
【図１】
2014041467.tif 000003
【図２】
2014041467.tif 000004
【図３】
2014041467.tif 000005
【図４】
2014041467.tif 000006
【図５】
2014041467.tif 000007
【図６】
2014041467.tif 000008
【図７】
2014041467.tif 000009
【図８】
2014041467.tif 000010
【図９】
2014041467.tif 000011
【図１０】
2014041467.tif 000012
【図１１】
2014041467.tif 000013
【図１２】
2014041467.tif 000014
【図１３】
2014041467.tif 000015
【図１４】
2014041467.tif 000016
【図１５】
2014041467.tif 000017
【図１６】
2014041467.tif 000018
【図１７】
2014041467.tif 000019
【図１８】
2014041467.tif 000020
【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
情報処理装置、販売端末及びサーバが通信可能な決済システムであって、
前記販売端末は、前記情報処理装置のＩＣチップ又は前記情報処理装置に装着されたＩＣチップのＩＤ情報を、無線ＩＣ通信で受信するＩＤ情報取得手段と、
販売対象の商品の商品情報に基づき代金を含む販売情報を作成する販売情報作成手段と、
前記ＩＤ情報と前記販売情報を前記サーバに送信するＩＤ情報送信手段と、を有し、
前記サーバは、当該決済システムの会員の会員ＩＤと前記ＩＤ情報が予め対応づけられた会員情報データベースと、
前記情報処理装置から前記会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した前記情報処理装置に、前記販売端末から前記ＩＤ情報と共に送信された前記販売情報を送信する販売情報送信手段と、
前記情報処理装置から前記販売情報の代金を決済するための金融機関のカード情報を受信して、金融機関に前記カード情報を送信することで決済要求する決済要求手段と、を有し、
前記情報処理装置は、前記会員ＩＤを前記サーバに送信する会員ＩＤ送信手段と、
前記サーバから受信した前記販売情報を表示して、決済の許可を受け付ける決済許可受け付け手段と、
前記決済許可受け付け手段が決済の許可を受け付けた場合、予め記憶している前記カード情報を前記サーバに送信する決済情報送信手段と、を有する、ことを特徴とする決済システム。
【請求項２】
前記サーバの会員情報データベースには、さらに、前記会員ＩＤに対応づけて、前記販売端末を設置している店がネットワークを介して商品を販売するＷｅｂサイトの顧客識別情報が登録されており、
前記販売端末の前記ＩＤ情報取得手段は、前記情報処理装置から前記顧客識別情報を受信し、
前記ＩＤ情報送信手段は前記顧客識別情報と前記販売情報を前記サーバに送信し、
前記サーバの前記会員特定手段は、前記販売端末から送信された前記顧客識別情報に対応づけられていた前記会員ＩＤを前記会員情報データベースから特定し、
前記販売情報送信手段は、前記会員特定手段が特定した前記会員ＩＤを送信した前記情報処理装置に、前記販売端末から前記顧客識別情報と共に送信された前記販売情報を送信する、ことを特徴とする請求項１記載の決済システム。
【請求項３】
前記販売端末はＰＯＳレジであり、
前記ＩＤ情報取得手段は、ＲＦＩＤリーダにより前記情報処理装置のＩＣチップ又は前記情報処理装置に装着されたＩＣチップのＩＤ情報を取得する、
ことを特徴とする請求項１又は２記載の決済システム。
【請求項４】
決済システムの会員の会員ＩＤを当該サーバに送信する会員ＩＤ送信手段と、
当該サーバから受信した販売情報を表示して、決済の許可を受け付ける決済許可受け付け手段と、
前記決済許可受け付け手段が決済の許可を受け付けた場合、予め記憶しているカード情報を当該サーバに送信する決済情報送信手段と、を有する情報処理装置、及び、
前記情報処理装置のＩＣチップ又は前記情報処理装置に装着されたＩＣチップのＩＤ情報を、無線ＩＣ通信で受信するＩＤ情報取得手段と、
販売対象の商品の商品情報に基づき代金を含む販売情報を作成する販売情報作成手段と、
前記ＩＤ情報と前記販売情報を当該サーバに送信するＩＤ情報送信手段とを有する販売端末と、ネットワークを介して通信可能なサーバであって、
前記会員ＩＤと前記ＩＤ情報が予め対応づけられた会員情報データベースと、
前記情報処理装置から前記会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した前記情報処理装置に、前記販売端末から前記ＩＤ情報と共に送信された前記販売情報を送信する販売情報送信手段と、
前記情報処理装置から前記販売情報の代金を決済するための金融機関の前記カード情報を受信して、金融機関に前記カード情報を送信することで決済要求する決済要求手段と、
を有することを特徴とするサーバ。
【請求項５】
当該情報処理装置のＩＣチップ又は当該情報処理装置に装着されたＩＣチップのＩＤ情報を、無線ＩＣ通信で受信するＩＤ情報取得手段と、
販売対象の商品の商品情報に基づき代金を含む販売情報を作成する販売情報作成手段と、
前記ＩＤ情報と前記販売情報をサーバに送信するＩＤ情報送信手段とを有する販売端末、と通信可能であり、さらに、
決済システムの会員の会員ＩＤと前記ＩＤ情報が予め対応づけられた会員情報データベースと、
当該情報処理装置から会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した当該情報処理装置に、前記販売端末から前記ＩＤ情報と共に送信された前記販売情報を送信する販売情報送信手段と、
当該情報処理装置から前記販売情報の代金を決済するための金融機関のカード情報を受信して、金融機関に前記カード情報を送信することで決済要求する決済要求手段と、を有するサーバと、ネットワークを介して通信可能な情報処理装置であって、
前記会員ＩＤを前記サーバに送信する会員ＩＤ送信手段と、
前記サーバから受信した前記販売情報を表示して、決済の許可を受け付ける決済許可受け付け手段と、
前記決済許可受け付け手段が決済の許可を受け付けた場合、予め記憶している前記カード情報を前記サーバに送信する決済情報送信手段と、を有することを特徴とする情報処理装置。
【請求項６】
当該情報処理装置のＩＣチップ又は当該情報処理装置に装着されたＩＣチップのＩＤ情報を、無線ＩＣ通信で受信するＩＤ情報取得手段と、
販売対象の商品の商品情報に基づき代金を含む販売情報を作成する販売情報作成手段と、
前記ＩＤ情報と前記販売情報をサーバに送信するＩＤ情報送信手段とを有する販売端末、と通信可能であり、さらに、
決済システムの会員の会員ＩＤと前記ＩＤ情報が予め対応づけられた会員情報データベースと、
当該情報処理装置から会員ＩＤを受信する会員ＩＤ受信手段と、
前記販売端末から送信された前記ＩＤ情報に対応づけられていた前記会員ＩＤを前記会員情報データベースから特定する会員特定手段と、
前記会員特定手段が特定した前記会員ＩＤを送信した当該情報処理装置に、前記販売端末から前記ＩＤ情報と共に送信された前記販売情報を送信する販売情報送信手段と、
当該情報処理装置から前記販売情報の代金を決済するための金融機関のカード情報を受信して、金融機関に前記カード情報を送信することで決済要求する決済要求手段と、を有するサーバと、ネットワークを介して通信可能な情報処理装置に、
前記会員ＩＤを前記サーバに送信する会員ＩＤ送信ステップと、
前記サーバから受信した前記販売情報を表示して、決済の許可を受け付ける決済許可受け付けステップと、
前記決済許可受け付けステップで決済の許可を受け付けた場合、予め記憶している前記カード情報を前記サーバに送信する決済情報送信ステップと、を実行させるプログラム。
【請求項７】
前記情報処理装置に、
前記カード情報を記憶装置に記憶させるステップを実行させ、
前記決済許可受け付けステップで決済の許可を受け付けた場合、前記決済情報送信ステップでは、前記記憶装置から読み出した前記カード情報を前記サーバに送信する、ことを特徴とする請求項６記載のプログラム。
【請求項８】
決済システムの会員の会員ＩＤを当該サーバに送信する会員ＩＤ送信手段と、
当該サーバから受信した販売情報を表示して、決済の許可を受け付ける決済許可受け付け手段と、
前記決済許可受け付け手段が決済の許可を受け付けた場合、予め記憶しているカード情報を当該サーバに送信する決済情報送信手段と、を有する情報処理装置、及び、
前記情報処理装置のＩＣチップ又は前記情報処理装置に装着されたＩＣチップのＩＤ情報を、無線ＩＣ通信で受信するＩＤ情報取得手段と、
販売対象の商品の商品情報に基づき代金を含む販売情報を作成する販売情報作成手段と、
前記ＩＤ情報と前記販売情報を当該サーバに送信するＩＤ情報送信手段とを有する販売端末と、ネットワークを介して通信可能なコンピュータに、
前記情報処理装置から前記会員ＩＤを受信する会員ＩＤ受信ステップと、
前記会員ＩＤと前記ＩＤ情報が予め対応づけられた会員情報データベースを参照して、前記販売端末から送信された前記ＩＤ情報に対応づけられていた前記会員ＩＤを特定する会員特定ステップと、
前記会員特定ステップにて特定された前記会員ＩＤを送信した前記情報処理装置に、前記販売端末から前記ＩＤ情報と共に送信された前記販売情報を送信する販売情報送信ステップと、
前記情報処理装置から前記販売情報の代金を決済するための金融機関の前記カード情報を受信して、金融機関に前記カード情報を送信することで決済要求する決済要求ステップと、
を実行させるプログラム。
【手続補正２】
【補正対象書類名】明細書
【補正対象項目名】００１５
【補正方法】変更
【補正の内容】
【００１５】
本発明は、情報処理装置、販売端末及びサーバが通信可能な決済システムであって、前記販売端末は、前記情報処理装置のＩＣチップ又は前記情報処理装置に装着されたＩＣチップのＩＤ情報を、無線ＩＣ通信で受信するＩＤ情報取得手段（例えば、ＩＤ取得部１３１）と、販売対象の商品の商品情報に基づき代金を含む販売情報を作成する販売情報作成手段（例えば、販売情報作成部１３３）と、前記ＩＤ情報と前記販売情報を前記サーバに送信するＩＤ情報送信手段（例えば、販売情報送信部１３２）と、を有し、前記サーバは、当該決済システムの会員の会員ＩＤと前記ＩＤ情報が予め対応づけられた会員情報データベース（例えば、会員ＤＢ１２６）と、前記情報処理装置から前記会員ＩＤを受信する会員ＩＤ受信手段（例えば、会員ＩＤ受信部１２２）と、前記販売端末から送信された前記ＩＤ情報に対応づけられていた前記会員ＩＤを前記会員情報データベースから特定する会員特定手段（例えば、会員特定部１２３）と、前記会員特定手段が特定した前記会員ＩＤを送信した前記情報処理装置に、前記販売端末から前記ＩＤ情報と共に送信された前記販売情報を送信する販売情報送信手段（例えば、決済情報送信部１２２）と、前記情報処理装置から前記販売情報の代金を決済するための金融機関のカード情報を受信して、金融機関に前記カード情報を送信することで決済要求する決済要求手段（例えば、決済処理部１２５）と、を有し、前記情報処理装置は、前記会員ＩＤを前記サーバに送信する会員ＩＤ送信手段（例えば、会員ＩＤ送信部１１５）と、前記サーバから受信した前記販売情報を表示して、決済の許可を受け付ける決済許可受け付け手段（例えば、表示部１１１、操作受け付け部１１２）と、前記決済許可受け付け手段が決済の許可を受け付けた場合、予め記憶している前記カード情報を前記サーバに送信する決済情報送信手段（例えば、カード情報送信部１１４）と、を有する、ことを特徴とする。